(57)【要約】【課題】表示部３１を備えたリモコン３で無線通信により別所の機器の操作をする場合、操作ボタン３２の操作内容は表示部３１のマーク３３として表示されるが、通信が成功せず機器に信号が到達しない場合には、機器の実際の作動状態と表示部３１に表示された作動状態とが一致しなくなる。【解決手段】機器側から定期的に実際の作動状態を示す信号をリモコン３に送信し、リモコン３はその信号を受信すると表示部３１の表示内容を実際の機器の作動状態に置き換えることにより、表示部３１に表示されている作動状態と機器の実際の作動状態とを確実に一致させるようにした。【選択図】  図３
2006319539.tif 000002
【特許請求の範囲】
【請求項１】
機器の操作を無線通信により行うリモコン装置であって、機器に対して無線信号を発信する発信部と、送信内容を表示する表示部とを備えたものにおいて、機器側からの無線信号を受信する受信部を備えると共に、受信した信号に基づいて表示部の表示内容を補正する補正手段を備えたことを特徴とするリモコン装置。
【請求項２】
上記無線信号は赤外線に重畳されていることを特徴とする請求項１に記載のリモコン装置。
【請求項３】
上記機器は浴室内に設置されており、上記発信部から発信された無線信号を受信する機器側受信部と、機器側からの無線信号を発信する機器側発信部とを浴室内に臨むように設置し、機器の操作を浴室内から行うようにしたことを特徴とする請求項１または請求項２に記載のリモコン装置。
【発明の詳細な説明】
【技術分野】
【０００１】
本発明は、例えば浴室外に設置された機器を浴室内から制御するリモコン装置に関する。
【背景技術】
【０００２】
浴室の外部に設けた給湯装置に対して通信線で接続され、この通信線を介して有線による通信を給湯装置との間で行い、給湯装置の操作を行う風呂リモコンを浴室内の壁面に固定したものが知られている。
【０００３】
また、浴室外にオーディオ装置を設置すると共にスピーカを浴室の天井に設け、このオーディオ装置の操作を無線通信で行うリモコン機能を風呂リモコンに内蔵させたものが知られている（例えば、特許文献１参照）。
【０００４】
一般にオーディオ装置の操作を、例えばリモコンから射出される赤外線による無線通信により操作することは広く実施されている。この場合には、オーディオ装置自体を目視できるので、例えば音量の設定値はリモコンではなくオーディオ装置に表示される場合がある。但し、エアコンのリモコンのように、同じく赤外線による無線通信でエアコンの操作を行うリモコンでは、設定温度や運転の種類はエアコン自体ではなくリモコンに表示される場合が多い。
【０００５】
このようにリモコンに表示部を設け、リモコンに対して行った操作内容、例えば設定された温度を表示部に表示する場合、リモコンに対して行われた操作に基づいて表示部の表示内容が変更される。
【特許文献１】特開２００２−３８７３５号公報（請求項４、段落００４８、図７）
【発明の開示】
【発明が解決しようとする課題】
【０００６】
上記のように無線通信により機器の操作を行うリモコンであって、リモコンに対して行った操作内容を表示する表示部を備えたものでは、例えば浴室外に設置されたオーディオ装置の操作をする場合、音量を下げる操作をリモコンに対して行うと、リモコンに表示された音量についての表示はその操作にしたがって音量が下げられた表示に変化する。
【０００７】
ところが、通信線で接続され、有線で通信を行う場合には、リモコン側から発信された信号は確実に機器側に到達するが、無線通信の場合には外乱や信号そのものが機器側に受信されない等の原因により、必ずしもリモコンから発せられた信号が機器側に到達されるとは限らない。
【０００８】
例えばリモコンでオーディオ装置の操作を行う場合、上記のように音量を下げる操作を行っても、その信号がオーディオ装置に到達していなければオーディオ装置の音量は大きなままになっている。オーディオ装置に音量の表示がされていても、浴室内からはオーディオ装置を確認できないので、浴室内にいる操作者は音量が下がったものと信じている。
【０００９】
その状態でオーディオ装置の電源をオンにすると、操作者が予想していた音量とまったく違う大きな音量で音楽が再生されることになり、操作者が驚くという不具合が生じる。
【００１０】
そこで本発明は、上記の問題点に鑑み、上記のような不具合の生じないリモコン装置を提供することを課題とする。
【課題を解決するための手段】
【００１１】
上記課題を解決するために本発明によるリモコン装置は、機器の操作を無線通信により行うリモコン装置であって、機器に対して無線信号を発信する発信部と、送信内容を表示する表示部とを備えたものにおいて、機器側からの無線信号を受信する受信部を備えると共に、受信した信号に基づいて表示部の表示内容を補正する補正手段を備えたことを特徴とする。
【００１２】
表示部にはリモコン装置に対して行った操作内容が表示されるが、機器側の実際の状態を受信して表示部の表示内容を補正することにより、機器の実際の状態と表示内容とが一致する。
【００１３】
例えば、上記無線信号は赤外線に重畳されている。赤外線による無線通信は赤外線が相手の受光部に入社しなければ通信が行えないので、機器の状態とリモコン装置の表示部の表示とが一致しない場合が比較的生じやすい。したがって本発明は赤外線による無線通信を行うリモコン装置に特に好適である。
【００１４】
具体的には、上記機器は浴室内に設置されており、上記発信部から発信された無線信号を受信する機器側受信部と、機器側からの無線信号を発信する機器側発信部とを浴室内に臨むように設置し、機器の操作を浴室内から行うようにすればよい。
【発明の効果】
【００１５】
以上の説明から明らかなように、表示部が設けられているリモコン装置の場合、リモコン装置の表示部の表示内容と機器の実際の状態とが相違する場合が生じるおそれがあるが、本発明によれば、機器側からの信号を受信して表示部の表示内容を補正するので、リモコン装置の表示部の表示内容と実際の機器の状態とを確実に一致させることができる。
【発明を実施するための最良の形態】
【００１６】
図１を参照して、１は浴室であり、この浴室の外部にオーディオ装置２が配置されている。このオーディオ装置２から出力される音声信号は１対のスピーカ２１，２２に音声信号線２ａを介して供給される。これらスピーカ２１，２２は共に浴室１の天井１１に取り付けられている。
【００１７】
浴室１内にはこのオーディオ装置２の操作を行うオーディオリモコン３が配置されている。このオーディオリモコン３は操作信号を重畳した赤外線を射出する、いわゆる赤外線式のリモコンである。また、浴室１の外部には給湯装置４が設置されており、この給湯装置４の操作は浴室１内に設置された風呂リモコン５によって行われる。そして、この風呂リモコン５もリモコン３と同様に操作信号を重畳した赤外線を射出する、いわゆる赤外線式のリモコンである。
【００１８】
図２および図３を参照して、一方のスピーカ２１にはメッシュ２１ａで覆われた内部に機器側受光部６１と機器側発光部６２とが取り付けられている。なお、６３は信号の送受信時に発光する確認用の発光ダイオードである。
【００１９】
機器側受光部６１は信号が重畳された赤外線を受光すると、重畳されている信号を分離し電気信号に変換するものである。電気信号に変換された信号は通信線６ａを介してオーディオ装置２および給湯装置４の信号入力部に入力される。一方、機器側発光部６２は、オーディオ装置２および給湯装置４の信号出力部から送られてきた電気信号を赤外線に重畳させて浴室１内に射出するものである。
【００２０】
リモコン３にはリモコン３から赤外線を発光する発光部と、上記機器側発光部６２から射出された赤外線を受光する受光部とが格納された通信部３０が設けられている。また、リモコン３に対して行った操作内容を表示する表示部３１が設けられている。
【００２１】
例えば音量の増減スイッチ３２を操作すると音量表示マーク３３が増減して音量の設定状態を表示部３１に表示するように構成されている。例えば音量を下げる操作をすると、音量表示マーク３３が減少すると共に、通信部３０からボリュームを下げる信号が重畳された赤外線が射出される。その射出された赤外線は機器側受光部６１に受光され、信号が分離され、通信線６ａを介してオーディオ装置２に伝達される。なお、音量を下げる信号は給湯装置４にも伝達されるが、オーディオ装置２と給湯装置４の通信コードを相違させておけば、給湯装置４は音量を下げる信号を含め、オーディオ装置２用の信号をすべて無視する。
【００２２】
オーディオ装置２は音量を下げる信号を受信すると、音量を下げる動作を内部で行う。一方、一定時間毎にオーディオ装置２の実際の作動状態を信号出力部から通信線６ｂを介して機器側発光部６２へ出力する。すると機器側発光部６２はその信号を重畳した赤外線を射出する。
【００２３】
この射出された赤外線は通信部３０で受光されリモコン３内で信号を分離し解読する。そして、表示部３１に表示されている内容を機器側発光部６２から受信した実際の作動状態に対応する表示内容に置き換える。
【００２４】
このように構成したので、例えば上述のように音量を下げる操作をリモコン３で行った場合に、リモコン３から射出された赤外線が機器側受光部６１に受光されていなければ、表示部３１の音量表示マーク３３が減少していても、オーディオ装置２側からの信号によって実際の音量に一致するように音量表示マーク３３が増加する。このように、リモコン３側からの信号がオーディオ装置２に到達しなくてもオーディオ装置２の実際の作動状態と表示部３１の表示内とが一致する。
【００２５】
上記実施の形態ではリモコン３を用いてオーディオ装置２の操作を行う場合について説明したが、風呂リモコン５を用いて赤外線通信により給湯装置４の操作を行う場合にも同様にして本発明を用いることができる。
【００２６】
なお、上述のようにオーディオ装置２と給湯装置４とで信号のコードを相違させているので両者の信号が混信することがない。したがって、信号のコードが相違する他の機器を増設して浴室１内から上述と同様にして操作することが可能である。
【００２７】
なお、本発明は上記した形態に限定されるものではなく、本発明の要旨を逸脱しない範囲内において種々の変更を加えてもかまわない。
【図面の簡単な説明】
【００２８】
【図１】本発明の一実施の形態の構成を示す図
【図２】スピーカの構造を示す図
【図３】リモコンの送受信状態を示す図
【符号の説明】
【００２９】
１  浴室
２  オーディオ装置
３  リモコン
４  給湯装置
５  風呂リモコン
【図１】
2006319539.tif 000003
【図２】
2006319539.tif 000004
【図３】
2006319539.tif 000005